(57)【要約】【課題】本発明は、接続部材がバヨネット式に係止される接続アセンブリに関する。【解決手段】本発明によると、相互係止配置において、バヨネット式システムの係止部材（３１）を並進運動が生じないように固定化するための固定化部（４）が設けられ、当該固定化部は、バヨネット式ラグ（２２）が設けられた本体部（２０）上に取り外し可能に配置される。【選択図】図２Ａ
2016122651.tif 000002
【特許請求の範囲】
【請求項１】
第１接続部材（２）と、
第２接続部材（３）と、
前記第１接続部材及び前記第２接続部材を互いに係止するシステムであって、前記システムは、前記第１接続部材及び前記第２接続部材の一方の本体部（２０）の周部に設けられた少なくとも一つの係止ラグ（２２）と、前記第１接続部材及び前記第２接続部材の他方と一体に設けられ、少なくとも一つの係止溝（３２）を含む係止部材（３１）と、を含み、前記係止溝（３２）の形状及び配置は、前記係止部材を前記ラグに対して並進運動させることにより前記ラグ（２２）を前記係止溝（３２）へ侵入させることができ、その後前記ラグが設けられた前記本体部の周りで前記係止部材を回転させることにより、前記第１接続部材及び前記第２接続部材が互いに係止されるような形状及び配置である、システムと、
を含む接続アセンブリ（１）であって、
前記相互係止配置において並進運動しないように前記係止部材（３１）を固定化するための固定化部（４、５、８）を更に含み、前記固定化部は、前記ラグ（２２）が設けられた前記本体部（２０）上に取り外し可能に配置されていることを特徴とする、接続アセンブリ（１）。
【請求項２】
前記固定化部（４、５、８）が、前記第１接続部材及び前記第２接続部材の接続方向において並進運動が生じないように前記係止部材（３１）を固定化するのに適していることを特徴とする、請求項１に記載の接続アセンブリ（１）。
【請求項３】
固定化された配置にあるとき、前記固定化部（４、５、８）は、前記係止システムの直径寸法を越えて突出しないことを特徴とする、請求項１又は２に記載の接続アセンブリ（１）。
【請求項４】
固定化された配置にあるとき、前記固定化部（４、５、８）は、前記係止部材（３１）の最大外径φを越えて突出しないことを特徴とする、請求項３に記載の接続アセンブリ（１）。
【請求項５】
前記固定化部は、前記ラグ（２２）が設けられた前記本体部（２０）の円筒状ベアリング面上に直接的又は間接的に備え付けられた弾性リング（４、５）であることを特徴とする、請求項１〜４のいずれか一項に記載の接続アセンブリ（１）。
【請求項６】
前記弾性リング（４、５）は、前記ラグ（２２）が設けられた前記本体部（２０）の溝（２３）に備え付けられていることを特徴とする、請求項５に記載の接続アセンブリ（１）。
【請求項７】
前記弾性リング（４、５）が接続軸（Ｘ）に垂直に備え付けられていることを特徴とする、請求項５又は６に記載の接続アセンブリ（１）。
【請求項８】
前記弾性リングが一定断面のスナップリング（４）であることを特徴とする、請求項５〜７のいずれか一項に記載の接続アセンブリ（１）。
【請求項９】
一定断面の前記スナップリング（４）が、前記係止溝（３２）の一部（３３）に格納されるタブ（４０）を更に含み、前記係止溝（３２）の前記一部（３３）は、前記係止部材（３１）の前記並進運動中に前記ラグ（２２）が挿入される部分であり、外側に向けて開放されていることを特徴とする、請求項８に記載の接続アセンブリ（１）。
【請求項１０】
前記弾性リングは、断面が一定でないリング（５）、好ましくは三日月状のリングであることを特徴とする、請求項５〜７のいずれか一項に記載の接続アセンブリ（１）。
【請求項１１】
前記係止部がナット（８）であり、前記ナット（８）の雌ネジ（８０）が、前記ラグ（２２）が設けられた前記本体部（２０）の雄ネジ（２４）に螺合されることを特徴とする、請求項１から４のいずれか一項に記載の接続アセンブリ（１）。
【請求項１２】
前記第１接続部材及び前記第２接続部材の一方は雌型であり、他方は前記雌型接続部材に接続するのに適した雄型であり、前記係止部材は、前記雌型接続部材及び前記雄型接続部材の一方の本体部（３０）の周りで自由に回転運動及び並進運動することができるように備え付けられたキャップ（３１）を構成することを特徴とする、請求項１〜１１のいずれか一項に記載の接続アセンブリ（１）。
【請求項１３】
二つの同軸ケーブルを互いに接続することを目的とする同軸接続アセンブリ（１）を構成する接続アセンブリ（１）であって、前記接続部材がそれぞれ同軸コネクターを構成することを特徴とする、請求項１２に記載の接続アセンブリ（１）。
【請求項１４】
前記第１接続部材及び前記第２接続部材の一方が多接点コネクターの一部を構成し、前記係止ラグが設けられた他方は、前記コネクターの光学的接触部材を構成することを特徴とする、請求項１２に記載の接続アセンブリ（１）。
【請求項１５】
電気接点及び／又は光学的接点を有する接続アセンブリを構成することを特徴とする、請求項１〜１４のいずれか一項に記載の接続アセンブリ（１）。
【請求項１６】
それぞれ雄型及び雌型である、接続アセンブリの二つの接続部材を組み立てる方法であって、
前記接続アセンブリは、前記接続部材を互いに接続された構成で係止するためのシステムであって、前記雄型接続部材又は前記雌型接続部材の一方の本体部（２０）の周部に設けられた少なくとも一つの係止ラグ（２２）と、係止キャップ（３１）と称される係止部材であって、前記接続部材の他方の本体部（３０）の周りで自由に回転させることができるように備え付けられ、少なくとも一つの係止溝（３２）を含む係止部材と、を含むシステムを更に含み、
前記接続部材を互いに接続するステップと、
前記キャップ（３１）を並進運動させることにより前記ラグ（２２）を前記溝（３２）へ侵入させることができるように前記キャップ（３１）を並進運動させ、その後前記ラグが設けられた前記本体部の周りで前記キャップ（３１）を回転させることにより、前記接続部材を接続された構成で互いに係止するステップと、
並進運動が生じないように固定化部（４、５、８）が前記キャップ（３１）を前記相互係止配置に固定化するように、前記ラグ（２２）が設けられた前記本体部（２０）上に前記固定化部（４、５、８）を取り外し可能に配置するステップと、
を含む方法。
【請求項１７】
それぞれ雄型及び雌型である、接続アセンブリの二つの接続部材を分解する方法であって、
前記接続アセンブリは、前記接続部材を互いに接続された構成で係止するためのシステムであって、前記接続部材の一方の本体部（２０）の周部に設けられた少なくとも一つの係止ラグ（２２）と、係止キャップ（３１）と称される係止部材であって、前記接続部材の他方の本体部（３０）の周りで自由に回転させることができるように備え付けられ、少なくとも一つの係止溝（３２）を含む係止部材とを含むシステムを更に含み、
前記ラグ（２２）が設けられた前記本体部（２０）上の取り外し可能な固定化部（４、５、８）を、前記接続部材の前記相互係止配置において並進運動が生じないように前記キャップ（３１）を固定化している固定化配置から取り外すステップと、
前記ラグ（２２）が設けられた前記本体部の周りで前記キャップ（３１）を回転させた後、前記ラグ（２２）が前記溝（３２）から取り出され得るように並進運動させることにより、前記接続部材の接続された構成における相互係止を解除するステップと、
前記接続部材を互いに分離させるステップと、
を含む方法。
【発明の詳細な説明】
【技術分野】
【０００１】
本発明は、バヨネット式係止システムにより互いに係止されるのに適した第１接続部材及び第２接続部材を含む接続アセンブリの分野に関するものである。
【０００２】
本発明は特に、光学的接触式接続アセンブリに適用される。本発明は例えば、光学的接触部材を有する接続アセンブリ及びその光コネクター又は光ソケットに適用することができる。
【０００３】
本発明は特に、ケーブルに接続される少なくとも一つの接点及び当該接点（複数可）が内部に収容される開放された本体部を含むプラグと、使用者の設備のパネルへの固定用プレートを有するソケットと、を有する接続アセンブリであって、プラグ及びソケットが、バヨネット式システム、例えば特許欧州特許第２２３９６０５号明細書（特許文献１）に記載されているようなものにより互いに係止される接続アセンブリに適用することができる。
【０００４】
しかしながら、本発明は光学的接続アセンブリに限定されるものではなく、接続部材間の相互係止がバヨネット式システムにより行われるものであれば、あらゆる接続アセンブリに適用される。
【０００５】
従って、本発明は、電気的接続アセンブリ、特に、雄型同軸コネクター及び雌型同軸コネクターを含む同軸接続アセンブリであって、雄型コネクター及び雌型コネクターがそれぞれ中央接点と当該中央接点の周りに配置された略管状の金属本体部から構成される接地部とを含む同軸接続アセンブリに適用することができる。当該部材の一方はアダプターであってよい。
【０００６】
本発明は同様に、多接点コネクターの挿入部のキャビティに係合する電気接点又は光学的接点に対して適用することもできる。
【０００７】
本発明は、複数の導電体を含むケーブル、特に２軸ケーブル又は４軸ケーブル用の任意の接続アセンブリに適用することができる。
【背景技術】
【０００８】
接続アセンブリは、二つのケーブル間で（電気、マイクロ波、光等の）信号が伝送され続けるようにするために、第１接続部材及び第１接続部材に係合するのに適した第２接続部材を含む。
【０００９】
一旦接続した後、操作（振動等）により又は接続アセンブリが取り付けられた装置に固有の問題により、これらの接続部材が意図せず分離してしまうのを妨げるために、これらの接続部材をバヨネット式固定システムにより互いに係止できることが知られている。
【００１０】
一般にバヨネット式システムは、接続部材のうち一方の接地部の周部に設けられた一つ以上の、通常二つ又は三つの係止ピン又は係止ラグと、少なくとも接続部材のうち他方の接地部の周りで自由に回転するように備え付けられた、係止キャップ又は係止ブッシュと呼ばれる雌型係止部材と、から構成される。係止キャップは手で保持するのに適しており、一つ以上の、通常二つ又は三つの係止溝又は係止用傾斜部が設けられた部分を含む。
【００１１】
各係止溝の形状及び配置は、係止キャップを並進移動させることにより各係止ピンを各係止溝へ侵入させることができ、その後ピン（複数可）が設けられた接地部の周りで当該係止キャップを回転させることにより、雄型コネクターと雌型コネクターとが互いに機械的に係止されるようなものとなっている。
【００１２】
これらの接続アセンブリのいくつかでは更にコイルバネが設けられてもよく、この場合、ピン（複数可）を溝へ導入する方向と反対方向に係止キャップを押すことにより、ピンの周りでのキャップの係止を維持することが可能になる。
【００１３】
ここで、ＳＴ（Ｓｔａｎｄａｒｄ  Ｔｉｐ）という名称でＲＡＤＩＡＬＬ社から販売されている、バヨネット式係止システムを含む光学的接続アセンブリを引用する。このような光学的接続アセンブリ１が係止接続された構成で図１に表されており、当該アセンブリ１はコネクター３に係合するコネクター２を含む。
【００１４】
コネクター２は本体部２０を含み、本体部２０は、係止ラグ又は係止ピン２２が周部に設けられたコネクター２１を形成する部分を有する。
【００１５】
コネクター３は、外向きに開放された溝３２を有する雌型係止キャップ３１を自由に並進運動及び回転運動させることができるように備え付けられた本体部３０を含む。当該開放された溝３２は、キャップの外側へ開放された第１直線部分３３、第１直線部３３に連なる傾斜部３４、そして傾斜部３４に連なる第２直線部３５を含む。ここで、第１直線部分３３及び第２直線部分３５はキャップ３１の並進移動軸に沿って直線状になっており、傾斜部３４は、第１直線部分３３及び第２直線部分３５に対して横方向に延在している。
【００１６】
コネクター２とコネクター３とが互いに接続されると、これらの間でバヨネット式係止が次のようにして実現される。
【００１７】
操作者は、溝３２がラグ２２と揃うように、キャップ３１をコネクター２１上でスライドさせる。ラグ２２が第１直線部３３の端部に当接すると、操作者は、キャップ３１に回転を加えることによりラグ２２を傾斜部３４へ移動させ、第２直線部３５に格納する。従って、溝３２の第２直線部３５にラグ２２を格納、言い換えればトラップすることにより、このような係止が行われる。
【００１８】
係止キャップは手で操作可能でなければならないので、キャップを並進運動させた後回転運動させることにより実際の係止を行うために加えられる力は、比較的小さい。従って、操作又は取り付けに関する状況において、高振動が加わったとき、上述のようなバヨネット式係止による同軸接続アセンブリでは、強い振動由来の力のみにより係止が解除されてしまうおそれがあることがわかる。
【００１９】
欧州特許出願第０６６０４５２号明細書（特許文献２）には、二つの取り外し可能部によって雄型コネクターがパネルにバヨネット式に固定される接続アセンブリが開示されている。当該取り外し可能部の一方は開放されており、パネルの突出部上の溝に格納される係止ラグが設けられている。当該取り外し可能部の他方は、この係止システムにアクセスできないように上記開放部を閉鎖するものであり、またこの閉鎖部はパネルに取り付ける。この解決手段には、多数の部品があり、簡単に失くしてしまうおそれがあるというデメリットがある。
【００２０】
欧州特許第１１５４１６９号明細書（特許文献３）によると、同軸接続アセンブリにおいて、係止溝を画定する弾性タブを有するキャップを設けて、係止ラグを収容する溝の一部に追加の取り外し可能な係止部を挿入すること、及び当該挿入はタブの弾性変形により可能になることが提唱されている。この解決手段には第一に、製造するには複雑な形状の、堅固でない追加係止部を含むという深刻なデメリットがある。第二に、タブ及び係止部について、寸法上の高い正確性を達成しなければならない。
【００２１】
既知のバヨネット式係止システムの有効性がどのようなものであれ、操作者が手操作又はツールを用いて操作している間、特に視認できない状態での作業や散らかった環境での作業中に思いがけずバラバラになるリスクが依然として存在する。このリスクは、ファイバーがラグ付き部品に固定されている多接点コネクターのように、設置時にケーブルをねじる必要がある場合、一層重大なものとなる。
【００２２】
特許文献２及び特許文献３に記載のバヨネット式システムの回転固定化手段も、意図せずバラバラになることを防ぐものである。当該回転固定化手段はまた、外側に付設されて、雄型及び雌型接続部材の一方又は他方の直径寸法を上回るものであるため、半径方向における接続アセンブリの全体の大きさが著しく増加するという大きなデメリットがある。このように、半径方向において固定化手段が全体として大きいと、用途によっては問題が生じる場合があり、許容されない場合もある。特に、必要とされる封止を行えるように隙間を最小化するために、できる限り緊密に係止キャップに蓋をすること、即ち係止キャップをカバーすることを目的とするスリーブによって封止を行うことが必要な場合が挙げられる。
【００２３】
従って、特に、半径方向において全体の大きさを増加させることなく、操作者が手動で又はツールを用いて思いがけず係止を解除してしまうという全リスクを避けるために、バヨネット式係止接続アセンブリを改善する必要がある。
【００２４】
本発明の目的は、少なくとも部分的にこの必要性に応えることである。
【先行技術文献】
【特許文献】
【００２５】
【特許文献１】特許欧州特許第２２３９６０５号明細書
【特許文献２】欧州特許出願第０６６０４５２号明細書
【特許文献３】欧州特許第１１５４１６９号明細書
【発明の概要】
【課題を解決するための手段】
【００２６】
この目的を達成するために、本発明は、
第１接続部材と、
第２接続部材と、
第１接続部材及び第２接続部材を互いに係止するシステムであって、当該システムは、第１接続部材及び第２接続部材の一方の本体部の周部に設けられた少なくとも一つの係止ラグと、第１接続部材及び第２接続部材の他方と一体に設けられ、少なくとも一つの係止溝を含む係止部材と、を含み、係止溝の形状及び配置は、係止部材をラグに対して並進運動させることによりラグを係止溝へ侵入させることができ、その後ラグが設けられた本体部の周りで係止部材を回転させることにより、第１接続部材及び第２接続部材が互いに係止されるような形状及び配置である、システムと、
を含む接続アセンブリに関する。
【００２７】
また、係止部材のラグを係止溝中で並進運動させる際、当該並進運動は第１接続部材及び第２接続部材の接続方向において行われ、ラグが設けられた本体部の周りで係止部材を回転させた後、第１接続部材及び第２接続部材が離れる方向に、係止溝中でラグの第２並進運動が行われる。当該第２並進運動により、係止部材が相互係止配置に動かされる。
【００２８】
本発明によると、当該接続アセンブリは、相互係止配置において並進運動しないように係止部材を固定化するための固定化部を更に含み、係止部は、ラグが設けられた本体部上に取り外し可能に配置されている
【００２９】
従って、本発明の一態様によると、固定化部は、第１接続部材及び第２接続部材の接続方向において並進運動が生じないように係止部材を固定化するのに適している。
【００３０】
係止部材のラグが係止溝の当接部に当接することにより、分離方向に並進運動が生じないように係止部材が固定化される。
【００３１】
有利な一実施形態によると、固定化された配置にあるとき、固定化部は、係止システムの直径寸法を越えて突出しない。
【００３２】
当該実施形態によると、固定化部は、係止部材の最大外径φを越えて突出しない。
【００３３】
並進運動が生じないように係止部材を固定化するための固定化部が設けられていることにより、本発明では、特に視認できない状態での作業や散らかった環境での作業中に、操作者が思いがけず係止を解除してしまい、ひいては思いがけず接続を解除してしまうすべてのリスクを防ぐことが可能になる。
【００３４】
本発明に係る固定化を行う解決手段は、実施が簡単かつ安価である。
【００３５】
特許文献２及び特許文献３に記載されているような、固定化を行う既知の解決手段とは異なり、本発明では、製造及び取り付けが容易であり、半径方向における全体の大きさが小さいという利点もある、堅固な固定化部を得ることが可能である。
【００３６】
本発明に係る固定化部の半径方向における全体の大きさが小さいという点は、封止部材の寸法を増加させることなく接続アセンブリに封止機能を付与することが必要な場合に特に有利である。実際、この固定化部が係止システムの直径寸法から突出していないことにより、例えば、係止部材に蓋をする標準的な大きさの封止用スリーブ、例えば係止キャップを使用することが可能である。
【００３７】
有利な第１実施形態によると、係止部は、ラグが設けられた本体部の円筒状ベアリング面上に直接的又は間接的に備え付けられた弾性リングである。
【００３８】
当該第１実施形態によると、有利には、弾性リングは、ラグが設けられた本体部の溝に備え付けることができる。
【００３９】
変形例に係るアセンブリでは、弾性リングは、接続軸に垂直に備え付けられる。
【００４０】
第１変形実施形態によると、弾性リングは一定断面（ｃｏｎｓｔａｎｔ  ｓｅｃｔｉｏｎ）のスナップリングである。一定断面のスナップリングが、係止溝の一部に格納される部材を更に含み、係止溝の当該一部は、係止部材の並進運動中にラグが挿入される部分であり、外側に向けて開放されている。
【００４１】
第２変形実施形態によると、弾性リングは、断面が一定でないリング、好ましくは三日月状のリングである。
【００４２】
有利な第２実施形態によると、固定化部がナットであり、当該ナットの雌ネジが、ラグが設けられた本体部の雄ネジに螺合される。
【００４３】
本発明に係る接続アセンブリは第１接続部材及び第２接続部材を有し、第１接続部材及び第２接続部材の一方は雌型であり、他方は当該雌型接続部材に接続するのに適した雄型であり、係止部材は、雌型接続部材及び雄型接続部材の一方の本体部の周りで自由に回転運動及び並進運動することができるように備え付けられたキャップを構成する。
【００４４】
接続アセンブリは、二つの同軸ケーブルを互いに接続することを目的とする同軸接続アセンブリを構成することができ、接続部材はそれぞれ同軸コネクターを構成する。
【００４５】
接続部材の一方は多接点コネクターの一部を構成することができ、係止ラグが設けられた他方の接続部材は、コネクターの光学的接触部材を構成する。
【００４６】
接続アセンブリは、電気接点及び／又は光学的接点を有する接続アセンブリを構成することができる。
【００４７】
本発明はまた、それぞれ雄型及び雌型である、接続アセンブリの二つの接続部材を組み立てる方法であって、
当該接続アセンブリは、接続部材を互いに接続された構成で係止するためのシステムであって、雄型接続部材又は雌型接続部材の一方の本体部の周部に設けられた少なくとも一つの係止ラグと、係止キャップと称される係止部材であって、接続部材の他方の本体部の周りで自由に回転させることができるように備え付けられ、少なくとも一つの係止溝を含む係止部材とを含むシステムを更に含み、
接続部材を互いに接続するステップと、
キャップを並進運動させることによりラグを溝へ侵入させることができるようにキャップを並進運動させ、その後ラグが設けられた本体部の周りでキャップを回転させることにより、接続部材を接続された構成で互いに係止するステップと、
並進運動が生じないように固定化部がキャップを相互係止配置に固定化するように、ラグが設けられた本体部上に固定化部を取り外し可能に配置するステップと、
を含む方法に関する。
【００４８】
最後に、本発明は、それぞれ雄型及び雌型である、接続アセンブリの二つの接続部材を分解する方法であって、
当該接続アセンブリは、接続部材を互いに接続された構成で係止するためのシステムであって、接続部材の一方の本体部の周部に設けられた少なくとも一つの係止ラグと、係止キャップと称される係止部材であって、接続部材の他方の本体部の周りで自由に回転させることができるように備え付けられ、少なくとも一つの係止溝を含む係止部材とを含むシステムを更に含み、
ラグが設けられた本体部上の取り外し可能な固定化部を、接続部材の相互係止配置において並進運動が生じないようにキャップを固定化している固定化配置から取り外すステップと、
ラグが設けられた本体部の周りでキャップを回転させた後、ラグが溝から取り出され得るように並進運動させることにより、接続部材の接続された構成における相互係止を解除するステップと、
接続部材を互いに分離させるステップと、
を含む方法に関する。
【００４９】
本発明の他の利点及び特徴については、添付図面を参照しながら非限定的な一実施形態に関する以下の説明を読むことにより明らかになる。
【図面の簡単な説明】
【００５０】
【図１】従来技術における、接続・係止された構成の同軸接続アセンブリの斜視図である。
【図２Ａ】本発明の第１変形例に係る固定化部を図１に記載のアセンブリ上に配置するステップを示す斜視図である。
【図２Ｂ】本発明の第１変形例に係る固定化部を図１に記載のアセンブリ上に配置するステップを示す斜視図である。
【図２Ｃ】図２Ｂの詳細断面図である。
【図３Ａ】本発明の第１変形例に係る固定化部を別の接続アセンブリ上に配置するステップを示す斜視図である。
【図３Ｂ】本発明の第１変形例に係る固定化部を別の接続アセンブリ上に配置するステップを示す斜視図である。
【図４Ａ】本発明の第２変形例に係る固定化部を配置するステップを含む、接続アセンブリを組み立てる全ステップを示す斜視図である。
【図４Ｂ】本発明の第２変形例に係る固定化部を配置するステップを含む、接続アセンブリを組み立てる全ステップを示す斜視図である。
【図４Ｃ】本発明の第２変形例に係る固定化部を配置するステップを含む、接続アセンブリを組み立てる全ステップを示す斜視図である。
【図４Ｄ】本発明の第２変形例に係る固定化部を配置するステップを含む、接続アセンブリを組み立てる全ステップを示す斜視図である。
【図４Ｅ】本発明の第２変形例に係る固定化部を配置するステップを含む、接続アセンブリを組み立てる全ステップを示す斜視図である。
【図４Ｆ】本発明の第２変形例に係る固定化部を配置するステップを含む、接続アセンブリを組み立てる全ステップを示す斜視図である。
【図５】本発明の第２変形例に係る固定化部及び封止部材を有する接続アセンブリの長手方向断面図である。
【図５Ａ】本発明の第２変形例に係る固定化部及び封止部材を有する接続アセンブリの詳細図である。
【図６】本発明の第３変形例に係る固定化部及び封止部材を有する別の接続アセンブリの斜視図である。
【図６Ａ】本発明の第３変形例に係る固定化部及び封止部材を有する別の接続アセンブリの詳細断面図である。
【図７Ａ】本発明の第４変形例に係る固定化部を図４Ａ〜４Ｆに示すような接続アセンブリ上に配置するステップを示す斜視図である。
【図７Ｂ】本発明の第４変形例に係る固定化部を図４Ａ〜４Ｆに示すような接続アセンブリ上に配置するステップを示す斜視図である。
【発明を実施するための形態】
【００５１】
明確にするために、従来技術における接続アセンブリ及び本発明に係る接続アセンブリの同じ部材は、同じ参照番号を付している。
【００５２】
図１は、前文で既に説明したものである。従って、ここで再度の詳述はしないこととする。
【００５３】
図２Ａ〜２Ｃには、並進運動しないように係止キャップ３１を固定化する固定化部を構成する一定断面の弾性リング４を、取り外し可能に配置するステップが示されている。
【００５４】
より正確には、ラグ２２が溝３２の当接部３５に格納されると、コネクター２及びコネクター３が互いに係止し合う配置となる（図２Ａ）。
【００５５】
また、弾性リング４は、接続軸Ｘに対して垂直にコネクター２の本体部２０のベアリング面２１上に直接備え付けられているため、接続軸Ｘに沿って並進運動しないようにキャップ３１を固定化する（図２Ｂ）。言い換えれば、キャップ３１は図２Ｃの矢印方向に並進運動することができないため、結果として相互係止状態が維持される。
【００５６】
当該リング４を取り外すためには、リング４とそのベアリング面２１との間にツール、典型的にはネジ回しを挿入しなければならないため、弾性リング４は操作者が意図せず取り外してしまうことがない。
【００５７】
また、図２Ｃに示すように、一定断面の弾性リング４の、半径方向における全体の大きさは、係止キャップ３１の直径を越えて突出しないようになっている。従って、図１に示した既知の接続アセンブリの、最初の全体の大きさは変わっておらず、これにより、特に、当該既知の接続アセンブリに修正を加える必要なしに、封止用スリーブでキャップ３１をカバーすることが可能となる。
【００５８】
図３Ａ及び３Ｂには、接続・係止された構成の別の接続アセンブリが示されている。一定断面の弾性リング４は同様に、係止部材３１の並進運動を妨げるために、円筒状本体部２０のベアリング面２１上に配置されている。ラグ２２が設けられた接続部材２は、ここで示した例ではＮＦ  ＥＮ  ４５３１規格に準拠した光学的接触部材であり、他方の接続部材３は、多接点コネクターの挿入部のキャビティアダプターを構成する。
【００５９】
多接点コネクター３の一部は、係止溝３２が形成されたハウジング３１を含む。従って、相互係止配置では、接触部材２がハウジング３１に係止される（図３Ａ）。一定断面の弾性リング４をベアリング面２１上に配置することにより、接触部材２と多接点コネクター部のハウジング３１との間で相対並進運動が生じないようにすることが可能になる（図３Ｂ）ため、接触部材２とハウジング３１との間の係止が意図せず解除されるのが防止される。
【００６０】
次いで、図４Ａ〜４Ｆを参照して、別の接続アセンブリを組み立てる全ステップを説明する。これには、図２Ａ〜３Ｂに示された一定断面の弾性リング４の変形例を構成する三日月状のリング４を、溝２３に配置するステップが含まれる。
【００６１】
ここで示す例では、接続部材２は４軸接触部材であり、接続部材３は多接点コネクターの一部である。接点２用のハウジング部３１により係止部材が構成される。
【００６２】
まず、接触部材２は、ラグ２２が直線部３３と揃うように、ハウジング部３１の軸上に配置される（図４Ａ）。
【００６３】
次いで、ラグ２２が溝３２の直線部３３の端部に当接するまで、接触部材２とハウジング部３１との間で相対並進運動を行う（図４Ｂ）。
【００６４】
この並進運動は、接続部材２、３の接続方向に行われる。
【００６５】
次いで、ラグ２２が溝３２の横断部３４の端部に当接するまで、接触部材２とハウジング３１とを相対的に回転させる（図４Ｃ）。
【００６６】
その後、ラグ２２が溝３２の直線部３５の端部に当接するまで、接触部材２とハウジング３１との間で最初の運動と反対方向に最後の相対並進運動が行われる（図４Ｄ）。
【００６７】
この第２並進運動は、接続部材２、３が離れる方向に行われる。
【００６８】
この図４Ｄの配置では、接触部材２及び多接点コネクター部３が互いに係止されている。
【００６９】
次いで、三日月状リング５が、ラグ２２が設けられた接触部材２の本体部２０上に形成された溝２３の底部に配置される（図４Ｅ）。
【００７０】
従って、このように配置された当該リング５により、接触部材２と多接点コネクター部のハウジング３１との間で相対並進運動が生じないようにすることが可能になる（図４Ｆ）ため、接触部材２とハウジング３１との間の係止が意図せず解除されるのが防止される。
【００７１】
また、図４Ｆに示すように、リング５はハウジング３１の直径寸法φから突出していない。
【００７２】
図５及び５Ａは、溝３２が設けられた係止部材３１の最大外径を越えて突出しない固定化用リング５を有することによる利点を図示する。
【００７３】
このように、固定化用リングの半径方向における全体の大きさが小さいと、封止用スリーブ６を係止部材３１の周りに直接配置することが可能になる。このようにして、封止部６、７に修正を加えることなく、接続アセンブリを良好に封止することができる。言い換えれば、係止部材３１の並進運動が生じないように固定化する固定化部５を設けても、接続アセンブリ１の製造に必要な封止部６、７については修正を要しない。
【００７４】
図６及び６Ａには、並進運動しないように係止部材３１を固定化するための変形部品（ｖａｒｉａｎｔ  ｐａｒｔ）が示されている。当該部品は、ここではナット８である。相互係止が行われると、当該ナット８の雌ネジ８０は、係止ラグが設けられた本体部２０の雄ネジ２４に螺合される。従って、ナット８は長手方向に並進運動させることができ、取り外せるようになっている。
【００７５】
図６Ａに示すように、ナット８は、接続アセンブリ１の軸に沿って長手方向に係止部材３１に当接するまで螺合される。
【００７６】
これも図６Ａに示すように、ナット８の外径は、係止部材３１の外径を越えて突出しないように選択される。
【００７７】
図７Ａ及び７Ｂには、別の変形例による、並進運動しないように係止部材３１を固定化するためのリング４を配置する様子が示されている。
【００７８】
ここで、一定断面のリング４は、一定断面で延在するタブ４０を含む。リング４をその一定断面により溝２３に配置する際、当該タブ４０は、係止ラグ２２が導入される溝３２の直線部３３の内部に格納されることになる（図７Ｂ）。
【００７９】
従って、係止部材３１が接触部材２に対して並進運動又は回転運動しようとしても、タブ４０が係止部材３１を固定化することになる。
【００８０】
本発明は、上述された例のみに限定されるものではない。
【００８１】
本発明により、既知の接続アセンブリのバヨネット式係止に加えて、並進運動が生じないように固定化するための解決手段を提供することが可能になり、これにより、思いがけなく係止が解除されてしまうリスク、ひいては接続部材間でバラバラになったり分離したりしてしまうリスクがすべて防止される。
【符号の説明】
【００８２】
１  接続アセンブリ
２  第１接続部材、コネクター
３  第２接続部材、コネクター
４  固定化部、リング
５  固定化部、三日月状リング
６、７  封止部
８  固定化部、ナット
２０、３０  本体部
２１  ベアリング面
２２  係止ラグ
２３  溝
２４  雄ネジ
３１  係止部材、係止キャップ、ハウジング
３２  係止溝
３３  第１直線部
３４  傾斜部、横断部
３５  第２直線部
４０  タブ
８０  雌ネジ
【図１】
2016122651.tif 000003
【図２Ａ】
2016122651.tif 000004
【図２Ｂ】
2016122651.tif 000005
【図２Ｃ】
2016122651.tif 000006
【図３Ａ】
2016122651.tif 000007
【図３Ｂ】
2016122651.tif 000008
【図４Ａ】
2016122651.tif 000009
【図４Ｂ】
2016122651.tif 000010
【図４Ｃ】
2016122651.tif 000011
【図４Ｄ】
2016122651.tif 000012
【図４Ｅ】
2016122651.tif 000013
【図４Ｆ】
2016122651.tif 000014
【図５】
2016122651.tif 000015
【図５Ａ】
2016122651.tif 000016
【図６】
2016122651.tif 000017
【図６Ａ】
2016122651.tif 000018
【図７Ａ】
2016122651.tif 000019
【図７Ｂ】
2016122651.tif 000020
【外国語明細書】
2016122651000001.pdf